(57)【特許請求の範囲】
【請求項１】
レンズ鏡胴と、
前記レンズ鏡胴の固定鏡胴前部に着脱自在に支持されるレンズフードと、
前記レンズフードに回転自在に支持されるとともに、該レンズフードの外側から操作して半径方向に拡縮変形可能な外側回転リングと、
前記レンズ鏡胴の固定鏡胴前部に回転自在に支持されフィルターが装着される内側回転リングと、から成り、
前記外側回転リングの内側にゴムリングが接着され、
前記外側回転リング及び前記ゴムリングは、一部が切開された略Ｃ字形の形状を成し、前記レンズフードの内周に支持されるとともに、外側に向かう付勢力を有しており、
前記外側回転リングを縮径変形させて該外側回転リングで前記内側回転リングを押圧保持するとともに、前記外側回転リングを回転させることによって前記内側回転リングを回転させることを特徴とする撮影レンズのフィルター取付け装置。
【請求項２】
前記内側回転リングには前記フィルターが螺合されるフィルター取付け用のねじ部が形成されており、前記外側回転リングで前記内側回転リングを押圧することによって回り止めをして前記フィルターを螺着するように構成されていることを特徴とする請求項１記載の撮影レンズのフィルター取付け装置。
【請求項３】
前記内側回転リングにピンが突設される一方、前記レンズ鏡胴には前記ピンが嵌入される溝が形成されており、前記ピンが前記溝の不連続部分に当接することにより、前記内側回転リングの回転が拘束される構造を有していることを特徴とする請求項１記載の撮影レンズのフィルター取付け装置。
【発明の詳細な説明】
【０００１】
【発明の属する技術分野】
本発明は撮影レンズのフィルター取付け装置に係り、特にフィルターの角度調整が容易な撮影レンズのフィルター取付け装置に関する。
【０００２】
【従来の技術】
テレビレンズではレンズに入射する不要光線を遮断するためにレンズ前面にクロスフィルターや偏向フィルター等のフィルターを取り付ける場合がある。特にインナフォーカス式テレビレンズの場合、偏向フィルターやクロスフィルター等を使用する場合、有効光線内に手を入れてフィルターの角度調整をしなければならず、このため撮影を一時中断してフィルターの角度調整をしなければならない欠点があった。
【０００３】
このような欠点を解決するために特開平６−１４８７２１号公報ではレンズフード側にフィルターの回転機構を設け、レンズフードの外側からフィルターを所定角度に調整する回転機構が提案されている。
【０００４】
【発明が解決しようとする課題】
しかしながら前記特開平６−１４８７２１号公報のフィルター取付け装置はレンズフード側にフィルターの回転機構が設けられているため、レンズフードを使用しない場合に、テレビレンズの前面に直接フィルターを取り付けることになり、フィルターの角度調整はフィルターのねじ込み量を調整して行うため、フィルターの取り付け部にガタが生じ、ガタの為に撮影中にフィルターが落下したり角度が変化する欠点があった。また、前記フィルターの角度調整をフィルターのねじ込みを緩める方向で調整すると、ねじ形成部の長さが短い場合にはフィルターが落下してしまうという欠点があった。
【０００５】
本発明は、この様な事情に鑑みてなされたもので、レンズフードの使用の有無にかかわらずフィルターを簡単に回転させることができる撮影レンズのフィルター取付け装置を提案することを目的としている。
【０００６】
【課題を解決するための手段】
本発明は前記目的を達成するために、レンズ鏡胴と、前記レンズ鏡胴の固定鏡胴前部に着脱自在に支持されるレンズフードと、前記レンズフードに回転自在に支持されるとともに、該レンズフードの外側から操作して半径方向に拡縮変形可能な外側回転リングと、前記レンズ鏡胴の固定鏡胴前部に回転自在に支持されフィルターが装着される内側回転リングと、から成り、前記外側回転リングの内側にゴムリングが接着され、前記外側回転リング及び前記ゴムリングは、一部が切開された略Ｃ字形の形状を成し、前記レンズフードの内周に支持されるとともに、外側に向かう付勢力を有しており、前記外側回転リングを縮径変形させて該外側回転リングで前記内側回転リングを押圧保持するとともに、前記外側回転リングを回転させることによって前記内側回転リングを回転させることを特徴としている。
【０００７】
本発明によれば、レンズ鏡胴の固定鏡胴に取り付けられるレンズフードの基端部に外側回転リングを回動可能に装着し、この外側回転リングは拡縮可能に構成されている。一方固定鏡胴にはフィルターが装着される内側回転リングが回動可能に装着される。レンズフードが取り付けられている場合、フィルターの取り付けは外側リングを縮径して外側回転リングで内側回転リングを押圧保持して内側回転リングの回り止めを行い、フィルターを内側回転リングに取り付ける。またフィルターの角度調整は外側回転リングを縮径して内側回転リングを押圧保持し、この状態で外側回転リングとともに内側回転リングを回転し、フィルターの角度調整を行う。
【０００８】
レンズフードを使用しない場合には、直接内側回転リングを操作者の手で保持し、回り止めを行いフィルターを内側回転リングに取り付けられる。フィルターの角度調整も直接内側回転リングを保持して角度調整を行う。
【０００９】
【発明の実施の形態】
以下添付図面に従って本発明に係る撮影レンズのフィルター取付け装置の好ましい実施の形態を詳述する。
図１に示すように、テレビレンズのレンズ鏡胴１０はレンズフード１２、フォーカスリング１４、ズームリング１６、アイリスリング１８が設けられており、更にレンズ鏡胴１０の後端部にはエクステンダ装置２０が設けられ、レンズ鏡胴１０の側部にはドライブユニット２２が設けられている。
【００１０】
レンズ鏡胴１０内には図示しない撮影レンズ光学系が配置され、フォーカスリング１４を回動することによりフォーカス調整がなされ、ズームリング１６を回動することによりズーム調整がなされ、アイリスリング１８を回動することによりアイリス絞り径が調整されるようになっている。
ドライブユニット２２は箱状のケース２４を有し、このケース２４は図示しないビスを介してレンズ鏡胴１０の図１上で右側部に固着される。更にケース２４の側面にはグリップバンド２７が設けられ、カメラマンはこのグリップバンド２７を利用してレンズ鏡胴１０を保持することができる。さらにケース２４内には図示しないモータ、ギア等が配設されていて、これらのギアはケース２４の図示しない開口から露出してフォーカスリング１４、ズームリング１６、アイリスリング１８と噛み合っており、モータの回転力を適宜これらのリングに伝えてフォーカスリング１４、ズームリング１６、アイリスリング１８を夫々独立して回転駆動することが出来るようになっている。
【００１１】
ケース２４の上面２４Ａにはズームスイッチ２６、アイリスのオート／マニュアルスイッチ２８、ニア（ＮＥＡＲ）側のフォーカススイッチ３２Ａ、ファー（∞ＦＡＲ）側のフォーカススイッチ３２Ｂが配設されている。
図２では、レンズフード１２の取付け構造が示され、固定鏡胴１１の前端部１１Ａには筒状のレンズフード基端部３６が嵌入されている。レンズフード基端部３６の肉厚部分３７には半径方向外側からビス３８がねじこまれており、このビス３８はレンズフード基端部３６を貫通するとともに下部に緩衝材４０が取り付けられている。従って、ビス３８を半径方向外側から固定鏡胴１１にねじこむと、ビス３８の下端部は緩衝材４０を介して固定鏡胴１１の凹部１１Ｂに嵌入し、レンズフード基端部３６は固定鏡胴１１の前端部に取り付けられる。更にレンズフード基端部３６の前端部には角筒状のレンズフード１２が係合部４２を介して、レンズフード基端部３６に取り付けられている。
【００１２】
レンズフード基端部３６の内周側には溝４４が形成され、この溝４４内には外側回転リング４６が配置されている。更に外側回転リング４６の内側にはゴムリング４８が接着され、外側回転リング４６、ゴムリング４８は図３に示すように左側の一部において切開され、全体として略Ｃ字形の形状になっている。即ち外側回転リング４６はゴムリング４８が内側に接着された状態で、外側に付勢力を持つＣリングの機能を果たしており、外側回転リング４６を縮径した状態でレンズフード基端部３６の溝４４内に挿入し、縮径状態を開放すると外側回転リング４６、ゴムリング４８は復元して拡がって溝４４内に密着して収納される。このようにして外側回転リング４６、ゴムリング４８は、レンズフード１２の基端部３６に支持される。更に外側回転リング４６にはフィルター回転つまみ４９、４９が１８０°対向位置に設けられ、このフィルター回転つまみ４９、４９を半径方向内側に押圧すると外側回転リング４６、ゴムリング４８は縮径する。
【００１３】
固定鏡胴１１の前端部には内側回転リング５０が押さえ環５２を介して回動可能に支持され、この内側回転リング５０の外周にはすべり止め用のローレット５４が形成されている。更に内側回転リング５０の内周側にはフィルター取り付けねじ５６が形成され、フィルター５８のねじ部６０を内側回転リング５０のフィルター取り付けねじ５６にねじこむことにより、フィルター５８は内側回転リング５０に支持される。前記したようにフィルター回転つまみ４９、４９を半径方向内側に押圧すると、外側回転リング４６、ゴムリング４８は縮径し、内側回転リング５０を押圧保持し、この状態でフィルター回転つまみ４９、４９を周方向に回転すると、外側回転リング４６は回転し、同時に外側回転リング４６のゴムリング４８で押圧されていた内側回転リング５０も回転する。尚、レンズフード基端部３６には、フィルター回転つまみ４９、４９が回転できるように、夫々のフィルター回転つまみ４９の周りには略９０°の範囲に溝３６Ａが形成されている。このようにして、フィルター５８の角度調整をすることができる。なおフィルター５８には偏向フィルター、クロスフィルター等の角度調整の必要なフィルターが含まれる。
【００１４】
前記の如く構成された本発明に係る好ましい実施の形態の作用は次の通りである。
まずレンズフード１２がレンズ鏡胴１０に取り付けられている場合のフィルター５８の装着について説明する。この場合、フィルター回転つまみ４９、４９を半径方向内側に押圧すると、外側回転リング４６、ゴムリング４８が内側に変形し、外側回転リング４６で内側回転リング５０を押圧保持し、内側回転リング５０の回り止めを行う。この状態でフィルター５８のねじ部６０を内側回転リング５０のフィルター取り付けねじ５６にねじこみ、フィルター５８を内側回転リング５０に取り付けることができる。
【００１５】
フィルター５８を回転させる場合には、フィルター回転つまみ４９を半径方向内側に押圧し、外側回転リング４６で内側回転リング５０を押圧保持し、この状態でフィルター回転つまみ４９を必要な角度回転し、フィルター５８を回転させることができる。
またフィルター５８の取り外しは、同様にフィルター回転つまみ４９、４９を半径方向内側に押圧し、外側回転リング４６で内側回転リング５０を押圧保持し、内側回転リング５０を回り止めした状態で、フィルター５８のねじ部６０をフィルター取り付けねじ５６から外すことができる。
【００１６】
レンズフード１２を取り付けない場合には、内側回転リング５０を直接操作者の手で保持し、フィルター５８を取り付ける。フィルター５８の回転は内側回転リング５０を直接回して行う。
図４、５では本発明に係る第２の実施の形態が示され、図１乃至図３で説明した実施形態中の同一部材もしくは類似の部材には同一の符号を付し、その説明は省略する。図４、５に示す実施の形態が図１乃至図３で示す実施の形態と異なるのは、内側回転リング５０からピン６２が突設され、一方固定鏡胴１１にはこのピン６２が嵌入される溝６４が略１８０°に渡って形成されていることである。溝６４の一部には図５に示すように不連続部分６６が形成され、ピン６２をこの不連続部分６６に当接することにより、内側回転リング５０の回転を拘束することができる。即ちフィルター５８を内側回転リング５０に装着する場合、図１乃至図３の実施の形態ではフィルター回転つまみ４９、４９を半径方向内側に押圧して回り止めしなければならなかったのであるが、図４乃至図５の実施の形態では内側回転リング５０を回転してピン６２を溝６４の不連続部分６６に当接し、この状態で内側回転リング５０の回り止めがなされているので、フィルター５８のねじ部６０をフィルター取り付けねじ５６にねじ込むことができる。
【００１７】
前記第２の実施の形態では、フィルター５８の装着時において、回転つまみ４９、４９を半径方向内側に押圧する手間が省ける。また図４乃至図５の実施の形態では、フィルターの角度調整においては図１乃至図３の実施の形態と同様にフィルター回転つまみ４９、４９を半径方向内側に押圧して行うことができる。
前記実施の形態では、テレビレンズについて説明したが本発明はカメラの撮影レンズにも適用できる。
【００１８】
【発明の効果】
以上説明したように本発明に係る撮影レンズのフィルター取付け装置によれば、レンズフードの有無にかかわらずフィルターを簡単に回転させることができる。
【図面の簡単な説明】
【図１】図１は本発明の撮影レンズのフィルター取付け装置が適用されるＥＮＧカメラの斜視図
【図２】図２は本発明の要部を示す拡大断面図
【図３】図３は外側回転リングと内側回転リングとの関係を示す部分断面図
【図４】図４は本発明に係る他の実施の形態を示す要部拡大断面図
【図５】図５は本発明に係る他の実施の形態のピンと溝との関係を示す説明図
【符号の説明】
１０…レンズ鏡胴
１１…固定鏡胴
１２…レンズフード
３６…レンズフード基端部
４６…外側回転リング
４９…フィルター回転つまみ
５０…内側回転リング
５８…フィルター
【図１】
0003555121.tif 000002
【図２】
0003555121.tif 000003
【図３】
0003555121.tif 000004
【図４】
0003555121.tif 000005
【図５】
0003555121.tif 000006